(57)【要約】【課題】  構造が簡単な作動スイッチアセンブリを提供する。【解決手段】本発明の作動スイッチアセンブリは、操作ノブ；および前記操作ノブが回転自在に結合されるノブ収容軸、および前記操作ノブの回転半径内に配置され、前記操作ノブにより選択的に弾性変形される複数のテンションリブが一体に形成されたシャトル本体とを含む。【選択図】      図４Ａ
2005050784.tif 000002
【特許請求の範囲】
【請求項１】
印刷回路基板上に一定の間隔を隔てて設けられた第１および第２のタクトスイッチと、
前記各タクトスイッチをそれぞれオン／オフできるように相互平行して配置された１対の第１および第２のテンションリブ、および前記第１のテンションリブと第２のテンションリブとの間に設けられたノブ収容軸を備えるシャトル本体と、
前記シャトル本体のノブ収容軸に結合され、前記第１および第２のテンションリブのいずれか一側のテンションリブを対応する前記タクトスイッチと作用するように押圧する位置と押圧解除位置との間をシャトル回転自在な操作ノブと、
前記シャトル本体のノブ収容軸に結合され、前記操作ノブを押圧解除位置に付勢するばね部材とを含むことを特徴とする作動スイッチアセンブリ。
【請求項２】
前記操作ノブは、一定の開き角度をもって半径方向に外向き突出し、前記シャトル本体の第１および第２のテンションリブとそれぞれ作用する１対の作用部と、
軸線方向に沿って延び、前記シャトル本体から脱離不能に結合される結合部とを含むことを特徴とする請求項１に記載の作動スイッチアセンブリ。
【請求項３】
前記シャトル本体の第１および第２のテンションリブは、それぞれ前記操作ノブに向けて上向き突出した突出部と、
前記突出部に対し一定の傾斜角をなして内向き折り曲げられ、前記操作ノブの各作用部と接触する傾斜部とをさらに含むことを特徴とする請求項２に記載の作動スイッチアセンブリ。
【請求項４】
前記シャトル本体には、前記操作ノブの結合部を移動自在に収容し、前記結合部の移動を所定の範囲内に制限する係止段付部を備える案内溝が形成されていることを特徴とする請求項２記載の作動スイッチアセンブリ。
【請求項５】
前記操作ノブの各作用部には、前記ばね部材の両端部に係止し、前記押圧解除位置に弾性力を提供される１対の係止突起が形成されていることを特徴とする請求項２に記載の作動スイッチアセンブリ。
【請求項６】
前記シャトル本体は、前記第１のテンションリブと第２のテンションリブとの間に介在し、前記ＰＣＢ基板上に設けられた第３のタクトスイッチと作用可能な第３のテンションリブをさらに含み、
前記第３のテンションリブは、前記押圧解除位置に配置された前記操作ノブの押圧の際、弾性的に変位して前記第３のタクトスイッチをオンすることを特徴とする請求項１に記載の作動スイッチアセンブリ。
【請求項７】
前記シャトル本体には、前記操作ノブを弾性的に保持し、前記第３のテンションリブを前記第３のタクトスイッチをオフする位置に配置させる弾性保持リブが設けられていることを特徴とする請求項６に記載の作動スイッチアセンブリ。
【請求項８】
前記操作ノブと前記操作ノブを部分的に外部に露出させる機器の前面パネルとの間に介在するシャトルリングをさらに含むことを特徴とする請求項１または請求項６に記載の作動スイッチアセンブリ。
【請求項９】
操作ノブと、
前記操作ノブが回転自在に結合されるノブ収容軸、および前記操作ノブの回転半径内に配置され、前記操作ノブにより選択的に弾性変形される複数のテンションリブが一体に形成されたシャトル本体とを含むことを特徴とする作動スイッチアセンブリ。
【請求項１０】
前記ノブ収容軸に結合され、前記操作ノブの回転を元の位置に戻すばね部材をさらに含むことを特徴とする請求項９に記載の作動スイッチアセンブリ。
【請求項１１】
印刷回路基板に固定され、前記複数のテンションリブによりそれぞれオン／オフする複数のタクトスイッチをさらに含むことを特徴とする請求項９または請求項１０に記載の作動スイッチアセンブリ。
【請求項１２】
前記シャトル本体は射出成形されることを特徴とする請求項９に記載の作動スイッチアセンブリ。
【発明の詳細な説明】
【技術分野】
【０００１】
本発明は、作動スイッチアセンブリに関し、より詳しくは、シャトル機能およびボタン機能を一体に備える作動スイッチアセンブリに関する。
【背景技術】
【０００２】
一般に、ＶＣＲ、ＶＴＲ、またはＤＶＤＰ（Ｄｉｇｉｔａｌ  Ｖｉｄｅｏ  Ｄｉｓｋ  Ｐｌａｙｅｒ）等のような電子製品には、その作動を操作するための複数の操作ノブが付いている。これらの操作ノブは、一般に、印刷回路基板（ＰＣＢ）に設けられたスイッチをオン／オフすることで再生、早送り、巻き戻し、一時中止、或いは停止等の作動機能を果たす。ところで、多くの操作ノブは、製品のサイズを大きくする要因になる。従って、最近では、複数の作動機能を選択的に操作可能な一体型作動スイッチアセンブリが開示されている。
【０００３】
図１は、かかる従来の作動スイッチアセンブリの縦断面図であり、図２は、図１の分解図である。これらの図から分かるように、従来の作動スイッチアセンブリ１００は、大別して、印刷回路基板１１０に設けられたシャトルユニット１２０と、複数のタクトスイッチ１３１、１３２と、シャトルユニット１２０を作動させるシャトルノブ１４０、およびタクトスイッチ１３１、１３２をオン／オフするボタンノブ１５０と、を備える。これに、タクトスイッチ１３１、１３２とボタンノブ１５０との間に介在する基板ホルダー１６０、およびボタンノブホルダー１７０をさらに含む。
【０００４】
複数のタクトスイッチ１３１、１３２は、印刷回路基板１１０に回転自在に設けられたシャトルユニット１２０を中心に放射状に配置されている。これらは、一定の間隔を保ち、それぞれ、例えば、再生、停止、一時停止、或いは挿入／取出機能を果たす。基板ホルダー１６０は、タクトスイッチ１３１、１３２が設けられた印刷回路基板１１０の前面に設けられ、タクトスイッチ１３１、１３２と印刷回路基板１１０との段差を補償する。
【０００５】
ボタンノブ１５０は、ボタンノブホルダー１７０に組み付けられた後、基板ホルダー１６０が設けられた印刷回路基板１１０の前面に結合される。ボタンノブホルダー１７１０には、基板に固定されたタクトスイッチ１３１、１３２に対応する複数のポール１７１が突出している。ボタンノブ１５０の一側を押すと、ボタンノブホルダー１７０のポール１７１が該当タクトスイッチ１３１、１３２をオン／オフする。シャトルノブ１４０は、シャトルユニット１２０に結合され、正逆方向に３６０°回転自在である。ボタンノブ１５０の板面には、複数のテンションノブ１５５が設けられ、シャトルノブ１４０を所定の間隔をもって離隔させる。ユーザーは、シャトルノブ１４０を適宜に回転して、例えば、音量を調節する。
【０００６】
ところで、かかる従来の作動スイッチアセンブリ１００では、シャトルユニット１２０、ボタンノブ１５０、およびシャトルノブ１４０の他にもボタンノブホルダー１７０と基板ホルダー１６０を含むといった複雑な構成を有しており、その組立／分解が難しく、且つ製造費用を増大させるという不具合がある。特に、シャトルユニット１２０は、複数の構成要素を結合させた単位ユニットであって、内部での独自生産が困難であることで外部で製作された製品を購入している実情であるため、層一層製造費用を増大させる要因になっている。
【０００７】
従来の作動スイッチアセンブリ１００では、また、比較的高価のシャトルユニット１２０に故障や作動不良が発生した場合、一体として取り替えなければならないという構成上、メンテナンス費用が多くかかるという不具合もある。
【発明の開示】
【発明が解決しようとする課題】
【０００８】
本発明は、前記のような問題点を解決するためになされたものであって、その目的は、簡単な構成で組立／分解が容易であり、特に、製造費用、およびメンテナンス費用を大幅に節減できる作動スイッチアセンブリを提供するこにある。
【０００９】
本発明の他の目的は、簡単な構成で製品のサイズをコンパクト化し、小型化できる作動スイッチアセンブリを提供することにある。
【００１０】
本発明のまた他の目的は、電子製品の作動をユーザーが容易に且つ便利に操作できるようにした作動スイッチアセンブリを提供することにある。
【課題を解決するための手段】
【００１１】
前記目的を達成するための作動スイッチアセンブリは、印刷回路基板上に一定の間隔をおいて設けられた第１および第２のタクトスイッチと、前記各タクトスイッチをそれぞれオン／オフできるように相互平行して配置された１対の第１および第２のテンションリブ、および前記第１のテンションリブと第２のテンションリブとの間に設けられたノブ収容軸を備えるシャトル本体と、前記シャトル本体のノブ収容軸に結合され、前記第１および第２のテンションリブのいずれかを対応する前記タクトスイッチと作用するように押圧する位置と押圧解除位置との間をシャトル回転自在な操作ノブ、および前記シャトル本体のノブ収容軸に結合され、前記操作ノブを押圧解除位置に付勢するばね部材と、を含むことを特徴とする。
【００１２】
ここで、前記操作ノブは、一定の開き角度をもって半径方向に外向き突出し、前記シャトル本体の第１および第２のテンションリブとそれぞれ作用する１対の作用部、および軸線方向に沿って延び、前記シャトル本体から脱離不能に結合される結合部と、を含むことが好ましい。
【００１３】
また、前記シャトル本体の第１および第２のテンションリブは、それぞれ、前記操作ノブに向けて上向き突出した突出部、および前記突出部に対し一定の傾斜角をなして内向き折り曲げられ、前記操作ノブの各作用部と接触する傾斜部と、をさらに含むことがよい。
【００１４】
前記シャトル本体には、前記操作ノブの結合部を移動自在に収容し、前記結合部の移動を所定の範囲内に制限する係止段付部を備える案内溝が形成されていることがよい。
【００１５】
前記操作ノブの各作用部には、前記ばね部材の両端部に係止し、前記押圧解除位置に弾性力を提供される１対の係止突起が形成されていることがよい。
【００１６】
前記シャトル本体は、前記第１のテンションリブと第２のテンションリブとの間に介在し、前記ＰＣＢ基板上に設けられた第３のタクトスイッチと作用可能な第３のテンションリブをさらに含み、前記第３のテンションリブは、前記押圧解除位置に配置された前記操作ノブの押圧の際、弾性的に変位して前記第３のタクトスイッチをオンすることがよい。
【００１７】
前記シャトル本体には、前記操作ノブを弾性的に保持し、前記第３のテンションリブを前記第３のタクトスイッチをオフする位置に配置させる弾性保持リブが設けられていることがよい。
【００１８】
前記操作ノブと前記操作ノブを部分的に外部に露出させる機器の前面パネルとの間に介在するシャトルリングをさらに含むことがよい。
【００１９】
前記目的を達成するための本発明の他の側面に係る作動スイッチアセンブリは、操作ノブ、および前記操作ノブが回転自在に結合されるノブ収容軸、および前記操作ノブの回転半径内に配置され、前記操作ノブにより選択的に弾性変形される複数のテンションリブが一体に形成されたシャトル本体と、を含んでなることを特徴とする。
【００２０】
ここで、前記ノブ収容軸に結合され、前記操作ノブの回転を元の位置に戻すばね部材をさらに含むことがよい。
また、印刷回路基板に固定され、前記複数のテンションリブによりそれぞれオン／オフする複数のタクトスイッチをさらに含むことがよい。
【００２１】
前記シャトル本体は射出成形されることがよい。
【発明の効果】
【００２２】
本発明によれば、一体で射出成形したシャトル本体およびシャトル本体のノブ軸収容部、そして、印刷回路基板に設けられたタクトスイッチを含む簡単な構成で組立／分解が容易であり、特に、製造費用およびメンテナンス費用を大幅に節減できる作動スイッチアセンブリが提供される。
【００２３】
このように、簡単な構成を有する本発明の作動スイッチアセンブリは、製品のサイズをコンパクト化し且つ小型化することができ、電子製品の作動をユーザーが容易に且つ便利に操作可能な優れている効果も奏する。
【発明を実施するための最良の形態】
【００２４】
以下、添付の図面を参照して本発明の実施例に係る作動スイッチアセンブリを詳しく説明する。
【実施例】
【００２５】
図３は、本発明に係る作動スイッチアセンブリが装着された電子製品の正面図であり、図４Ａは、図３の部分分解斜視図であり、図４Ｂは図４ＡのＡの部分の拡大図であり、そして、図５は、図３のＶ−Ｖ線に沿う部分断面図である。同図から分かるように、電子製品１は、前方開口したケース本体（図示せず）と、このケース本体の開口を塞ぐ前面パネル３を含む。ケース本体には、複数の機器部品と印刷回路基板１１が組み込まれる。印刷回路基板１１には、本発明の作動スイッチアセンブリ１７のタクトスイッチ２１、２２、２３、２４、２５、２６およびディスプレイ部２８等が組み込まれる。
【００２６】
前面パネル３には、上下に回動開閉可能なドア４と、ディスプレイ窓５が中央部分に上下に設けられる。ドア４から、例えば、ビデオテープ或いはディスク等のソフトウェアを挿入／取出可能である。ディスプレイ窓５は、ディスプレイ部２８に表示される機器の作動状態を外部に露出可能な材質で構成される。このディスプレイ窓５には、例えば、タクトスイッチ２６をそれぞれオン／オフすることで録画、チャンネル調整、或いは画面調整を行なうことができる機能キー６が露出されている。
【００２７】
前面パネル３には、また、ドア４とディスプレイ窓５を中心に一側に電源ボタン１３と取出ボタン１４が隣接して設けられる。電源ボタン１３と取出ボタン１４の下部には、複数の外部入力ポートを備える外部入力部１５が設けられている。ドア４とディスプレイ窓５を中心に他側には、本発明の作動スイッチアセンブリ１７を構成する作動ノブ７１、７４、７５を露出させるノブ溝７、８、９が形成されている。
【００２８】
このような前面パネル３には、その長手方向の後方の縁部に沿って複数の結合リブ１０が一定の間隔をおいて設けられている。これらの結合リブ１０には、例えば、締付孔或いはフック部が設けられる。締付孔を有する結合リブは、別の締付部材（図示せず）を使用してケース本体に締め付けることができ、一方、フック部を有する結合リブは、ケース本体にフック孔を形成して係止することができる。
【００２９】
本発明に係る作動スイッチアセンブリ１７は、図４Ａ及び図４Ｂに示すように、印刷回路基板１１に設けられる複数のタクトスイッチ２１、２２、２３、２４、２５、２６、前面パネル３に組み込まれるシャトル本体２０、およびシャトル本体２０にシャトル自在に結合された操作ノブ７１を備える。これに、後で詳述するように、操作ノブ７１を元の位置に戻すばね部材８１をさらに含むことが好ましい。
【００３０】
印刷回路基板１１に設けられるタクトスイッチ２１、２２、２３、２４、２５、２６は、それぞれ別の機能を果たす。例えば、早送りおよび巻き戻し機能を果たす第１および第２のタクトスイッチ２１、２２と、これらの第１および第２のタクトスイッチ２１、２２の間に第３のタクトスイッチ２３を設置可能である。そして、第２のタクトスイッチ２２の外側にそれぞれ一時中止、および停止機能を果たす別の第４および第５のタクトスイッチ２４、２５を設けることもできる。
【００３１】
図６は、図４Ａ及び図４Ｂの部分組立図であり、図７は、図６の背面図であり、そして、図８は、図７の平断面図であって、本発明の要部をより具体的に示す図である。シャトル本体２０は、これらの図から分かるように、前面パネル３に固着されているフレーム２０’、第１および第２のタクトスイッチ２１、２２と作用する第１および第２のテンションリブ３１、３２、および操作ノブ７１が結合されるノブ収容軸５１を備える。
【００３２】
第１および第２のテンションリブ３１、３２は、フレーム２３の下部から第１および第２のタクトスイッチ２１、２２に向けて相互平行して延びている。これらの第１および第２のテンションリブ３１、３２は、フレーム２０’に連結された部分を中心に上下方向に弾性変形可能である。下向きに弾性変形された第１および第２のテンションリブ３１、３２は、対応する第１および第２のタクトスイッチ２１、２２をそれぞれオン／オフする。
【００３３】
第１および第２のテンションリブ３１、３２は、また、それぞれフレーム２０’に連結された部分から上向きに突出した突出部４１、４２と、この突出部４１、４２の端部に形成された傾斜部４７、４８をさらに含む。各傾斜部４７、４８は、ノブ収容軸５１を中心に円弧状をなし、該当突出部４１、４２に対し一定の傾斜角を保つ。傾斜部４７、４８は、それぞれ、後で詳述する操作ノブ７１の作用部７２により押圧および押圧解除され、前後方向に弾性変形される。この時、傾斜部４７、４８と一体に第１および第２のテンションリブ３１、３２も弾性変形されるのである。
【００３４】
一方、第１および第２のテンションリブ３１、３２の間には、第３のタクトスイッチ２３に向けて延びた第３のテンションリブ３３が設けられる。第３のテンションリブ３３も上向きに突出して操作ノブ７１と作用する突出部４３を備える。突出部４３は、前方から押圧すると、後方に弾性変形され、これに連動して第３のテンションリブ３３も弾性変形しながら第３のタクトスイッチ２３をオン／オフする。
【００３５】
第２のテンションリブ３２の外側には、第４および第５のタクトスイッチ２４、２５とそれぞれ作用する第４および第５のテンションリブ３４、３５を設けることができる。これらの第４および第５のテンションリブ３４、３５も、第１乃至第３のテンションリブ３１、３２、３３と同様に、上向き突出部４４、４５を備える。第４および第５のテンションリブ３４、３５の突出部４４、４５には、それぞれ操作ノブ８４、８５が結合され、前面パネル３に形成されたノブ溝８、９を介して外部に露出される。これらのノブ８４、８５を前方から後方に押圧すると、突出部４４、４５と一体に該当テンションリブ３４、３５が弾性変形し、対応するタクトスイッチ２４、２５をオン／オフする。
【００３６】
一方、ノブ収容軸５１は、第１および第２のテンションリブ３１、３２の上側中央部分に設けられる。ノブ収容軸５１は、シャトル本体２０の板面から前方に向けて延び、その中心に軸孔が形成されている。そして、ノブ収容軸５１の周りには、部分円弧状を画く１対の案内溝６１、６５が相互対向して設けられている。これらの各案内溝６１、６５の両側の端部６２、６６は、操作ノブ７１の過度な正逆方向への回転を抑える係止段付部を形成する。
【００３７】
ノブ収容軸５１と案内溝６１、６５との間には、また、円弧状に突出したボス６３が形成されている。ボス６３とノブ収容軸５１との間には、ばね部材８１を収容するばね溝が形成される。ばね部材８１は、両側の端部が所定の角度を保つねじりばねで構成される。ボス６３の下部は、ばね部材８１の両側の端部８２、８３を下向きに露出させるべく所定の切欠部で形成されている。切欠部の両端に係止したばね部材８１の両端部は、相互対応する内向きにだけ弾性変形可能である。
【００３８】
かかる構成のシャトル本体２０は、簡単に一体に射出成形することが好ましい。そして、第１および第２のテンションリブ３１、３２は、突出部４１、４２と傾斜部４７、４８を不要とし後で詳述する操作ノブ７１の作用部７２、７３と直接作用可能な構成に変形可能である。例えば、第１および第２のテンションリブ３１、３２の前面にそれぞれその長手方向に沿って傾斜面を形成すれば、操作ノブ７１の作用部７２、７３と直接作用可能のはずである。
【００３９】
一方、図９は、操作ノブの背面斜視図である。同図から分かるように、この操作ノブ７１は、ノブ収容軸５１の軸孔に結合される回転軸７５、第１および第２のテンションリブ３１、３２と作用する作用部７２、７３、および案内溝６１、６５に移動自在に収容される結合部７６、７７を備える。回転軸７５は、操作ノブ７１の中心軸線に沿ってシャトル本体２０に向けて突出し、ノブ収容軸５１の軸孔に回転自在に結合される。ノブ収容軸５１に回転自在に結合された操作ノブ７１は、前面パネル３の外部に部分的に露出される。露出された操作ノブ７１の外面には、ユーザー把持用ナーリング部７８がその円周方向に沿って形成されている。
【００４０】
操作ノブ７１の後方端部からシャトル本体２０に向けて１対の結合部７６、７７が延在しており、この結合部の各端部にフック７６’、７７’が外向きに突出している。各結合部７６、７７は、シャトル本体２０の対応する案内溝６１、６５に収容され、その長手方向に沿ってシャトル回転自在である。結合リブ７６、７７に形成されたフック７６’、７７’は、案内溝６１、６５の内側で係合し、この結果、操作ノブ７１の外向きへの脱離が防止される。
【００４１】
また、操作ノブ７１の外面から半径方向に向けて１対の作用部７２、７３が外向きに突設されており、この１対の作用部７２、７３は、ばね部材８１の両側の端部８２、８３が形成する開き角度程度の離隔距離を保つ。そして、各作用部７２、７３の端部には、第１および第２のテンションリブ３１、３２の傾斜部４７、４８と接触する接触突起７２’、７３’が形成されている。これらの接触突起７２’、７３’は、テンションリブ３１、３２の正逆方向へのシャトル回転の際、該当テンションリブ３１、３２の傾斜部４７、４８に沿って一体に移動する。傾斜部４７、４８に沿って正逆方向に移動する接触突起７２’、７３’は、テンションリブ３１、３２を押圧／押圧解除し、これにより、対応するタクトスイッチ２１、２２がオン／オフする。
【００４２】
各作用部７２、７３は、また、ばね部材８１に向けて突出した係止突起７２”、７３”を備える。これらの係止突起７２”、７３”は、それぞれシャトル本体２０のばね溝内に収容されたばね部材８１の両側の端部８２、８３と外側で作用する。即ち、ばね部材８１の両側の端部８２、８３は、各係止突起７２”、７３”を外向きに付勢し、これにより、操作ノブ７１は、第１および第２のテンションリブ３１、３２を押圧解除する位置に保たれる。
【００４３】
かかる構成を有する本発明の作動スイッチアセンブリ１７を結合させるためには、まず、シャトル本体２０のばね溝にばね部材８１を収容する。その後、操作ノブ７１の回転軸７５をシャトル本体２０のノブ収容軸５１に差し込む。この時、作用部７２、７３の各係止突起７２”、７３”がばね部材８１の両側の端部８２、８３にそれぞれ外側で対応するようにすることが重要である。この結果、ばね部材８１の付勢力により操作ノブ７１が第１および第２のテンションリブ３１、３２を押圧解除させる位置と押圧位置との間をシャトル回転自在になる。
【００４４】
操作ノブ７１が結合されたシャトル本体２０は、前面パネル３の裏面に固定される。このため、シャトル本体２０のフレーム２０’には、その長手方向に沿って締付溝（図７の２７参照）が形成されている。これらの締付溝２７を介して前面パネル３の裏面に締め付けられる複数の締付部材（図示せず）によりシャトル本体２０の固定が可能である。ここで、前面パネル３とシャトル本体２０との間には、シャトルリング（図４Ａの９１参照）を介在することが好ましい。シャトルリング９１は、前面パネル３のノブ溝７を介して外部に露出された操作ノブ７１の滑らかな正逆方向へのシャトル回転を補助する。
【００４５】
一方、タクトスイッチ２１、２２、２３、２４、２５、２６は、印刷回路基板１１の予め設定された位置に固設される。そして、タクトスイッチ２１、２２、２３、２４、２５、２６が設けられた印刷回路基板１１もケース本体の底面の一定の位置に結合される。このような理由から、前面パネル３をケース本体に結合させると、シャトル本体２０の第１および第２のテンションリブ３１、３２が印刷回路基板１１に設けられた第１および第２のタクトスイッチ２１、２２に対応する。
【００４６】
ユーザーは、押圧解除位置に配置された操作ノブ７１を把持し、正逆方向にシャトル回転させることができる。操作ノブ７１のシャトル回転の際、その作用部７２、７３は、第１および第２のテンションリブ３１、３２を弾性変形させる。すると、対応する第１および第２のタクトスイッチ２１、２２がオン／オフしながら該当機能を果たす。ここで、操作ノブ７１は、ユーザーよりの押圧力が消えると、ばね部材８１の付勢力により押圧解除位置に戻る。
【００４７】
そして、操作ノブ７１を後方に押圧すると、第３のテンションリブ３３が弾性変形しながら第３のタクトスイッチ２３をオン／オフする。シャトルパネル２１には、第３のテンションリブ３３が操作ノブ７１により任意的に弾性変形しないようにすることが好ましい。本実施例では、ノブ収容軸５１を中心に第３のテンションリブ３３に対向する位置に弾性保持リブ（図６の２９参照）が形成されている。この弾性保持リブ２９は、操作ノブ７１を前方に押圧することで第３のテンションリブ３３が任意的に作動することを防止する。
【産業上の利用可能性】
【００４８】
本発明の作動スイッチアセンブリは、動作機能のための操作ボタンが設けられた電子製品、例えば、ＶＴＲ、ＶＣＲ、ＤＶＤＰ、オーディオシステム等のいずれにも適用可能である。
【図面の簡単な説明】
【００４９】
【図１】従来の作動スイッチアセンブリの側断面図である。
【図２】図１の分解図である。
【図３】本発明に係る作動スイッチアセンブリが組み込まれた電子製品の正面図である。
【図４Ａ】図３の部分分解斜視図であって、本発明の作動スイッチアセンブリの構成を具体的に示す図である。
【図４Ｂ】図４ＡのＡの部分を示す拡大図である。
【図５】図３のV−V線に沿う部分断面図である。
【図６】図４の部分組立図であって、シャトル本体に操作ノブが結合された状態を示す図である。
【図７】図６の背面図である。
【図８】図７の平断面図であって、印刷回路基板に設けられたタクトスイッチとテンションリブとが相互作用する状態を示す図である。
【図９】操作ノブの背面斜視図である。
【符号の説明】
【００５０】
３    前面パネル
４    ソフトウェアドア
７    ノブ溝
１１  印刷回路基板
１７  作動スイッチアセンブリ
２０  シャトル本体
２１、２２  第１および第２のタクトスイッチ
２３  第３のタクトスイッチ
２９  弾性保持リブ
３１、３２  第１および第２のテンションリブ
４１、４２  突出部
４７、４８  傾斜部
５１  ノブ収容軸
６１、６５  案内溝
６２、６６  係止段付部
７１  操作ノブ
７２、７３  作用部
７２’、７３’  接触突起
７２”、７３”  係止突起
７５  回転軸
７６、７７  結合部
８１  ばね部材
９１  シャトルリング
【図１】
2005050784.tif 000003
【図２】
2005050784.tif 000004
【図３】
2005050784.tif 000005
【図４Ａ】
2005050784.tif 000006
【図４Ｂ】
2005050784.tif 000007
【図５】
2005050784.tif 000008
【図６】
2005050784.tif 000009
【図７】
2005050784.tif 000010
【図８】
2005050784.tif 000011
【図９】
2005050784.tif 000012